(57)【要約】【課題】光学式情報記憶媒体の再生不能化処理を高効率で、且つクリーンな作業環境で実施する。【解決手段】長手方向の両端面２ａ、２ｂが短絡された矩形状で、ＴＥ１０モードのマイクロ波だけが伝送可能なマイクロ波伝送路２に設けられたマイクロ波発振器３と、マイクロ波伝送路２の他側の相対した位置にスリット４を備え、スリット４に光学式情報記憶媒体１をスムーズに導き、かつ、マイクロ波伝送路２を経てもう一方のスリット４から抜ける光学式情報記憶媒体１を外部に導くガイド６を設け、このガイド６に光学式情報記憶媒体１を両面から挟み込むように駆動装置７と連動するローラ８をガイド６に開けられた穴６ｄを通して設ける。【選択図】　図１
2004046978.tif 000002
【特許請求の範囲】
【請求項１】
長手方向の両端面（２ａ）、（２ｂ）が短絡された矩形状のマイクロ波伝送路（２）と、前記マイクロ波伝送路（２）の一側に設けられたマイクロ波を供給するマイクロ波発振器（３）と、前記マイクロ波発振器（３）を動作させる電源（５）とを備え、前記マイクロ波伝送路（２）をＴＥ１０モードのマイクロ波だけが伝送可能とし、このマイクロ波伝送路（２）の他側の相対した位置にスリット（４）を備え、さらにこのスリット（４）の周囲に光学式情報記憶媒体（１）をスリット（４）に導き、かつ、マイクロ波伝送路（２）を経てもう一方のスリット（４）から抜ける光学式情報記憶媒体（１）を外部に導く中空のガイド（６）と、このガイド（６）を通過する光学式情報記憶媒体（１）を両面から挟み込むように、駆動装置（７）と連動するローラ（８）をガイド（６）に開けられた穴（６ｄ）を通して設け、このローラ（８）の回転速度を制御部（１０）により駆動装置（７）で回転速度を可変することにより、マイクロ波伝送路（２）を通過する光学式情報記憶媒体（１）の通過速度が可変できることを特徴とするマイクロ波処理装置。
【請求項２】
マイクロ波伝送路（２）に光センサ（９）を設け、この光センサ（９）の出力信号が予め設定した時間を超えたとき、制御部（１０）で電源（５）を制御することによりマイクロ波発振器（３）の動作を停止することを特徴とする請求項１記載のマイクロ波処理装置。
【発明の詳細な説明】
【０００１】
【発明の属する技術分野】
本発明は、コンパクトデスク等の光学式情報記憶媒体の情報記憶面を破壊して、情報記憶の読み出しを不能とするマイクロ波処理装置に関するものである。
【０００２】
【従来の技術】
従来、不要となったコンパクトデスク等の光学式情報記憶媒体は、不正な使用や販売を防止する必要があるため光学式情報記憶媒体の情報記憶面を機械的に傷を付けたり、あるいは光学式情報記憶媒体を切断したりすることにより、情報記憶面を破壊して記憶している情報を読みとれないようにしていたものであった。
【０００３】
また、特開平１０−１７２１４８号公報で開示しているように、光学式情報記憶媒体の情報記憶面を破壊するため、光学式情報記憶媒体を処理室に載置し、この処理室にマイクロ波を照射して光学式情報記憶媒体の情報記憶面をマイクロ波のエネルギーで破壊したり、あるいは光学式情報記憶媒体の処理室を貫通するコンベアを設け、このコンベアに光学式情報記憶媒体を載置し、連続的に処理室に運び込み、この処理室でマイクロ波を照射してマイクロ波のエネルギーで光学式情報記憶媒体を破壊するものがあった。
【０００４】
【発明が解決しようとする課題】
上記従来の技術にあっては、光学式情報記憶媒体の機械的処理では、光学式情報記憶媒体のベース材料であるポリカーボネイト等のプラスチック材が粉状になったり、破片が飛散したりする。また、導電膜の材料である金属粉も飛散して作業環境が悪くなり、しかも処理時間も長くかかるなどの問題があった。
【０００５】
また、光学式情報記憶媒体の処理室にマイクロ波を導入する処理方法では、波長に対して数倍大きな寸法を持つ処理室にマイクロ波電力を導入するために、単一モード電磁界を発生させることが困難である。
【０００６】
従って、処理室内は多モードの電磁界分布となるので光学式情報記憶媒体を破壊するための十分なマイクロ波のエネルギーが得られない。さらには、マイクロ波伝送路が直角に曲がるなど構造が複雑になるのでマイクロ波伝送路に反射が多くなりマイクロ波伝送効率も低下する。また、他の一実施例として述べられているコンベア方式では構造が大型化するなどの問題点があった。
【０００７】
また、何らかの原因で光学式情報記憶媒体がマイクロ波伝送路内で移動速度が遅くなったり、停止した場合、光学式情報記憶媒体が必要以上にマイクロ波で照射されるため発煙や発火など極めて危険な状態になる恐れがあるなどの問題があった。
【０００８】
【課題を解決するための手段】
上記課題を解決するために本発明では、長手方向の両端面が短絡された矩形状のマイクロ波伝送路と、前記マイクロ波伝送路の一側に設けられたマイクロ波を供給するマイクロ波発振器と、前記マイクロ波発振器を動作させる電源とを備え、前記マイクロ波伝送路をＴＥ１０モードのマイクロ波だけが伝送可能とし、このマイクロ波伝送路の他側の相対した位置にスリットを備え、さらにこのスリットの周囲に光学式情報記憶媒体をスリットに導き、かつ、マイクロ波伝送路を経てもう一方のスリットから抜ける光学式情報記憶媒体を外部に導く貫通した中空のガイドと、このガイドを通過する光学式情報記憶媒体を両面から挟み込むように駆動装置と連動するローラを、ガイドに開けられた穴を通して設け、このローラの回転速度を制御部により駆動装置で回転速度を可変することにより、マイクロ波伝送路を通過する光学式情報記憶媒体の通過速度が可変できるようにしたものである。
【０００９】
また、マイクロ波伝送路に光センサを設け、この光センサの出力信号が予め設定した時間を超えたとき、制御部で電源を制御することによりマイクロ波発振器の動作を停止するようにしたものである。
【００１０】
【発明の実施の形態】
以下本発明の一実施例を図１から図５により説明する。
【００１１】
図１は本発明の一実施例におけるマイクロ波処理装置の構成図、図２は図１のＡ−Ａ部の断面図で、１はコンパクトデスクで代表される光学式情報記憶媒体である。２は長手方向の両端面２ａ、２ｂが短絡された矩形状のマイクロ波伝送路で、金属製の中空導体からできている。３はマイクロ波を発生するマイクロ波発振器で、そのマイクロ波発振部３ａがマイクロ波伝送路２内に臨むようにマイクロ波伝送路２の上面２ｃの一側に取り付けられている。
【００１２】
４はマイクロ波伝送路２の他側の二つの面に設けられたスリットである。このスリット４は、マイクロ波伝送路２の上面２ｃに設けられた上スリット４ａと、この上スリット４ａと相対する下面２ｄに設けられた下スリット４ｂとで構成されており、光学式情報記憶媒体１はこの上スリット４ａからマイクロ波伝送路２内に入り、下スリット４ｂから抜け出る構成となっている。
【００１３】
５はマイクロ波発振器３を動作させる電源である。６ａは上ガイドで、貫通した中空の構成になっていて、光学式情報記憶媒体１がこの貫通した中空を進み、上スリット４ａにスムーズに導くことができるよう上スリット４ａの真上に設けられている。
【００１４】
６ｂは下ガイドで、上ガイド６ａと同じように貫通した中空の構成になっていて、光学式情報記憶媒体１がマイクロ波伝送路２の下面２ｄ側のスリット４ｂから抜けた時外部に誘導するものである。従ってスリット４ｂの真下に設けられている。これら上ガイド６ａと下ガイド６ｂを総称してガイド６と称する。
【００１５】
８ａ、８ｂ、８ｃ、８ｄはローラで、上ガイド６ａに設けられた穴６ｄを通して上ガイド６ａを通過する光学式情報記憶媒体１を両面から挟み込むように設けられている。すなわち、図１と図２及び図２のＤ−Ｄ部の断面を表す図３に示すようにローラ８ａ、８ｂは同じ側に設けられ、また、ローラ８ｃ、８ｄも同じ側でかつ、光学式情報記憶媒体１を介してローラ８ａ、８ｂの反対側に設けられている。つまり、ローラ８ａとローラ８ｃ及びローラ８ｂとローラ８ｄは通過する光学式情報記憶媒体１を挟み込むように設けられている。
【００１６】
次に、８ｅ（図示せず）、８ｆ、８ｇ、８ｈもローラで、下ガイド６ｂに設けられた穴（図示せず）を通して下ガイド６ｂを通過する光学式情報記憶媒体１を両面から挟み込むように上記で説明したローラ８ａ〜８ｄと同じ構成で設けられている。
【００１７】
すなわち、ローラ８ｅ、８ｆとローラ８ｇ、８ｈはそれぞれ同じ側に設けられ、光学式情報記憶媒体１がガイド６ｂを通過するときローラ８ｅとローラ８ｇおよびローラ８ｆとローラ８ｈはそれぞれ挟み込む形になる。
【００１８】
上記で説明したローラ８ａ〜８ｈを総称してローラ８とする。
【００１９】
７は回転するモータ（図示せず）を内蔵し回転軸７ａを有している駆動装置である。この駆動装置の回転軸７ａにローラ８が固定されている。
【００２０】
９は光センサで、マイクロ波伝送路２に設けられ、マイクロ波伝送路２に設けられた穴（図示せず）からマイクロ波伝送路２の内部で光学式情報記憶媒体１の情報記憶面がマイクロ波により破壊されるとき生じる光（スパーク）を検出して信号を出力する。
【００２１】
１０は制御部で、ローラ８を回転させる駆動装置７の速度を指示したり、光センサ９からの出力信号により電源５を制御しマイクロ波発振器３の動作を制御する。
【００２２】
図４は図１におけるマイクロ波伝送回路２のＢ−Ｂ部の断面図で、Ｗは長辺、Ｈは短辺である。これら長辺Ｗおよび短辺Ｈの長さはＴＥ１０モードの基本マイクロ波が伝送される長さに選ばれる。供給されるマイクロ波の周波数は２４５０ＭＨｚであるので、ＴＥ１０モードが伝送されるには長辺Ｗの長さは約６１ｍｍ以上１２２ｍｍ以下の寸法にする必要がある。
【００２３】
本実施例では長辺Ｗは上記寸法範囲内の１０９ｍｍに選んでいる。また短辺Ｈの長さは、この方向にＴＥ１０モードが発生しないようにするためマイクロ波の半波長以下にする必要がある。しかし、マイクロ波が光学式情報記憶媒体１に照射される面積をできる限り大きく取るために、本実施例では短辺Ｈの長さを５４ｍｍに選んでいる。
【００２４】
次に、スリット４の幅ｔは光学式情報記憶媒体１の厚みより大きくする必要があるが、スリット４を通してマイクロ波がマイクロ波伝送路２から外部へ漏洩しないように４ｍｍ以下としている。
【００２５】
また、スリット４の長さＬはマイクロ波伝送路２のー側の端面２ａから他側の端面２ｂ方向（給電側方向）に向かって約１５ｍｍの位置に光学式情報記憶媒体１の直径である約１２０ｍｍより長い約１４０ｍｍとしている。
【００２６】
スリット４の長辺Ｗ方向の位置は、長辺Ｗの中央にスリット４の幅ｔの中央が位置するように設定されている。
【００２７】
図５は図１の上ガイド６ａのＣ−Ｃ部の断面図で、光学式情報記憶媒体１が通るため中空になっている下部の開口の幅ｔ１は、スリット４の開口形状の寸法とほぼ同じか少し狭くし、光学式情報記憶媒体１がスムーズにスリット４に挿入できるようにしている。
【００２８】
また、この上ガイド６ａの上部の開口部の幅ｔ２はスリット４の幅より大きくして光学式情報記憶媒体１がスムーズに挿入できるようにしている。
【００２９】
上ガイド９ａの高さｈは光学式情報記憶媒体１の半径とほぼ同寸法か若干大きめがよいが、このような高さに限定するものではない。
【００３０】
次に、ガイド６の材質は光学式情報記憶媒体１の挿入時にマイクロ波がマイクロ波伝送路２から漏洩する場合があるため金属製より誘電体の方が望ましい。
【００３１】
次に、上記にて構成された本発明の作用について説明する。
【００３２】
光学式情報記憶媒体１をマイクロ波処理するには、光学式情報記憶媒体１を中空になっている上ガイド６ａに投入する。するとすぐ駆動装置７が動作し、駆動装置７の回転軸７ａに固定されたローラ８が回転する。光学式情報記憶媒体１は自然落下し、この先端がマイクロ波伝送路２の入口部付近にある回転するローラ８ａ、８ｂ、８ｃ、８ｄに達する。
【００３３】
次に、光学式情報記憶媒体１がローラ８ａ、８ｂ、８ｃ、８ｄに入り挟まれると、ローラ８ａ、８ｂ、８ｃ、８ｄの回転速度に合わせ移動し、スリット４ａへ達する。スリット４ａの幅は上記で説明したように約４ｍｍと狭いが、上ガイド６ａとローラ８ａ、８ｂ、８ｃ、８ｄの誘導によりスムーズにマイクロ波伝送路２に導かれ、この場所で光学式情報記憶媒体１はマイクロ波に照射される。
【００３４】
ここで、光学式情報記憶媒体１について説明する。この光学式情報記憶媒体１の代表であるコンパクトデスクはポリカーボネイトなどのプラスチック製透明基板表面に信号ピットやトラッキングサーボのための案内溝となる凹凸パターンが形成されている。透明基板の溝形成面にはＡｌなどの金属薄膜からなる反射膜が形成され、さらに反射膜の上にはＡｌ２Ｏ３などの絶縁膜からなる保護層が形成された構成となっている。
【００３５】
スリット４ａからマイクロ波伝送路２に入った光学式情報記憶媒体１はマイクロ波により破壊されるが、この光学式情報記憶媒体１がマイクロ波により破壊されるメカニズムについて説明する。
【００３６】
マイクロ波発振器３で発生したマイクロ波がマイクロ波発振部３ａからマイクロ波伝送路２を通ってその短絡面２ａ付近のスリット４に挿入された光学式情報記憶媒体１に照射されと光学式情報記録媒体１の反射膜に瞬間的に過大な高周波表面電流が誘導され、反射膜がこれにより破壊される。
【００３７】
ここで、マイクロ波伝送路２のスリット４ａ、４ｂをマイクロ波伝送路２の上面２ｃと下面２ｄの長辺Ｗの中央に管軸方向に設けているのは、マイクロ波理論から明らかなように、このような位置と方向にスリット４を設ければマイクロ波伝送路２に発生する表面電流の流れをスリット４が遮断しないので、マイクロ波発振器３で発生したマイクロ波がマイクロ波発振部３ａからスリット４を通って外部に漏洩しないからである。
【００３８】
また、光学式情報記憶媒体１をマイクロ波伝送路２の長辺Ｗの中央に設けたスリット４を移動させマイクロ波処理するのは、この位置と方向がマイクロ波伝送路２で電界強度、変位電流ともに大きな領域であるため、この領域に光学式情報記憶媒体１を通過させれば変位電流の作用により金属薄膜からなる反射膜に過大な高周波表面電流が誘起され、さらに強度な電界の作用によりスパークを発生させてこれを破壊してしまうからである。
【００３９】
このようにして破壊された光学式情報記憶媒体１はマイクロ波伝送路２の出口のスリット４ｂを通り、下ガイド６ｂに誘導され、回転しているローラ８ｅ、８ｆ、８ｇ、８ｈに挟み込まれ移動し、ガイド６ｂ外に放出され一連の動作は完了する。
【００４０】
次に、光学式情報記憶媒体１がマイクロ波伝送路２を通過する動作について説明する。光学式情報記憶媒体１の重量は１枚当たり約２０ｇであり、光学式情報記憶媒体１の自重だけの自然落下ではマイクロ波伝送路２を通過する時間が約１秒以下と短い。従って、自然落下における光学式情報記憶媒体１の情報記憶面の破壊率は約５０％である。
【００４１】
そこで、光学式情報記憶媒体１の情報記憶面の破壊割合を増大させ、より完璧に破壊させる必要がある。この対応として光学式情報記憶媒体１がマイクロ波伝送路２を通過する速度を調節するためローラ８の回転速度を決める。ローラ８の回転速度は、光学式情報記憶媒体１の材質、表面処理などにより変わるため、予め光学式情報記憶媒体１の破壊状態を確認して決める。
【００４２】
ところで、光学式情報記憶媒体１には、コンパクトデスク（ＣＤ）のように情報記憶面が１層のものと、デジタルバーサタイルデスク（ＤＶＤ）の一部のものに情報記憶面が２層のものがある。そして、ローラ８の回転速度を情報記憶面が１層のもので破壊状態を決めてから情報記憶面が２層のものを試験すると、情報記憶面の破壊割合が大幅に減少してしまう。
【００４３】
そこで、ローラ８の回転速度を制御部１０により駆動装置７を制御してローラ８の回転速度を約１／２に落とすことにより適当な破壊状態にすることができる。
【００４４】
このように、ガイド６を設けてスムーズに光学式情報記憶媒体１をマイクロ波密度の大きいＴＥ１０モードのマイクロ波が存在しているマイクロ波伝送路２に導き、マイクロ波により光学式情報記憶媒体１の情報記憶面が破壊することができる。
【００４５】
さらに、マイクロ波伝送路２の入口部、出口部付近に設けられたローラ８により光学式情報記憶媒体１のマイクロ波伝送路２内での通過速度を制御して光学式情報記憶媒体１の情報記憶面をより強く破壊させることができる。
【００４６】
尚、本実施例では、ローラ８はマイクロ波伝送路２の入口部付近と出口部付近に夫々２組づつ設けているが、上ガイド６ａに１組つけ、下ガイド６ｂにローラ８はつけなくともこの作用、効果は達成できる。
【００４７】
次に、光センサ９の動作について説明する。
【００４８】
光学式情報記憶媒体１のマイクロ波伝送路２内を通過する速度はローラ８の回転速度により一定しているため、一定時間経過すれば光学式情報記憶媒体１はマイクロ波伝送路２から通り過ぎるため破壊は終了する。
【００４９】
従って、光センサ９は、光学式情報記憶媒体１の情報記憶面が破壊される時に発生する光（スパーク）を検知し出力信号を出すため、光学式情報記憶媒体１の破壊が終了すると光がないため、光センサ９の出力信号も出なくなる。
【００５０】
ここで、何らかの原因でローラ８の回転速度が遅くなり、光センサ９の入力信号が予め設定された時間以上継続した場合、光センサ９の出力信号により制御部１０が電源５を制御してマイクロ波発振器３の動作を停止させる。
【００５１】
マイクロ波発振器３の動作を停止させないと光学式情報記憶媒体１がマイクロ波伝送路２内で必要以上にマイクロ波で照射され、例えば光学式情報記憶媒体１が発熱で大きく変形してローラ８で送ることができなくなり停止した場合、更にマイクロ波で加熱されることにより発煙や発火等になる恐れがある。
【００５２】
このようにガイド６に光センサ９をガイド６につけ、光学式情報記憶媒体１の破壊状態を検出し、設定時間より長くなったなどの異常があった場合、制御部１０により電源５を制御してマイクロ波発振器３の動作を停止させる。
【００５３】
【発明の効果】
以上説明したように、本発明によれば、長手方向の両端面が短絡された矩形状のマイクロ波伝送路と、前記マイクロ波伝送路の一側に設けられたマイクロ波を供給するマイクロ波発振器と、前記マイクロ波発振器を動作させる電源とを備え、前記マイクロ波伝送路をＴＥ１０モードのマイクロ波だけが伝送可能とし、このマイクロ波伝送路の他側の相対した位置にスリットを備え、さらにこのスリットの周囲に光学式情報記憶媒体をスリットに導き、かつ、マイクロ波伝送路を経てもう一方のスリットから抜ける光学式情報記憶媒体を外部に導く中空のガイドと、このガイドを通過する光学式情報記憶媒体を両面から挟み込むように、駆動装置と連動するローラをガイドに開けられた穴を通して設け、このローラの回転速度を制御部により駆動装置で回転速度を可変することにより、マイクロ波伝送路を通過する光学式情報記憶媒体の通過速度を可変することにより、光学式情報記憶媒体の情報記憶面をより強く破壊させることができるとともに異なる情報記憶面の状態（一層とか二層など）にも対応できるなどの効果がある。
【００５４】
また、マイクロ波伝送路に光センサを設け、この光センサの出力信号が予め設定した時間を超えたとき、制御部で電源を制御することによりマイクロ波発振器の動作を停止することにより光学式情報記憶媒体がマイクロ波伝送路内でマイクロ波により必要以上に照射され、異常加熱されることによる発煙や発火等につながる問題が解消できるなどの効果がある。
【００５５】
さらに、光学式情報記憶媒体の破片などの飛び散りがないためクリーンな作業環境で光学式情報記憶媒体を破壊処理することができるなどの効果がある。
【図面の簡単な説明】
【図１】本発明の一実施例のマイクロ波処理装置の構成図である。
【図２】図１におけるＡ−Ａ部の断面図である。
【図３】図２におけるＤ−Ｄ部の断面図である。
【図４】図１におけるＢ−Ｂ部の断面図である。
【図５】図１におけるＣ−Ｃ部の上ガイドの断面図である。
【符号の説明】
１・・・光学式情報記憶媒体
２・・・マイクロ波伝送路
２ａ・・端面
２ｂ・・端面
３・・・マイクロ波発振器
４・・・スリット
６・・・ガイド
６ｄ・・穴
７・・・駆動装置
８・・・ローラ
９・・・光センサ
１０・・・制御部
【図１】
2004046978.tif 000003
【図２】
2004046978.tif 000004
【図３】
2004046978.tif 000005
【図４】
2004046978.tif 000006
【図５】
2004046978.tif 000007